(57)【特許請求の範囲】
【請求項１】
調湿対象物に調湿媒体を添加して前記調湿対象物を調湿する添加ユニットを有する調湿装置において、中空の回転ドラムを傾斜するように設置し、前記回転ドラムの長さ方向の中心よりも下側の一部にサイズ分級部を設け、前記回転ドラムの内周面に前記調湿対象物を撹拌する複数の撹拌板を設け、前記調湿対象物は前記回転ドラムの上側の開口部から供給されて、所定のサイズ以下のものは前記サイズ分級部から排出され、所定のサイズよりも大きいものは前記回転ドラムの下側の開口部から排出されることを特徴とする調湿装置。
【請求項２】
前記サイズ分級部は、前記回転ドラムの円周部に３６０度にわたって設けられていることを特徴とする請求項１記載の調湿装置。
【請求項３】
前記回転ドラムは、その外周面を支持する複数組の一対のローラによって回転されることを特徴とする請求項１記載の調湿装置。
【請求項４】
前記回転ドラムは、その中心を貫通する１本の回転軸に固定された複数本のスポークに固定されたことを特徴とする請求項１記載の調湿装置。
【請求項５】
前記サイズ分級部は、網目から構成されることを特徴とする請求項１又は２記載の調湿装置。
【請求項６】
前記サイズ分級部は、前記回転ドラムの円周部に設けられた複数の穴から構成されることを特徴とする請求項１又は２記載の調湿装置。
【請求項７】
前記添加ユニットは、溶液を霧状にすることを特徴とする請求項１記載の調湿装置。
【請求項８】
前記添加ユニットは、溶液を蒸気にすることを特徴とする請求項１記載の調湿装置。
【請求項９】
前記添加ユニットは、前記回転ドラムの内側に設置されていることを特徴とする請求項１，７又は８記載の調湿装置。
【請求項１０】
前記調湿媒体は、水であることを特徴とする請求項１記載の調湿装置。
【請求項１１】
前記調湿媒体は、電解質の水溶液であることを特徴とする請求項１記載の調湿装置。
【請求項１２】
前記調湿媒体は、有機溶媒であることを特徴とする請求項１記載の調湿装置。
【請求項１３】
請求項１乃至１２のいずれか１項記載の調湿装置を用い、前記調湿対象物を処理する調湿方法であって、前記回転ドラムの下側の開口部から排出された前記調湿対象物を破砕し、再度前記調湿装置により処理することを特徴とする調湿方法。
【発明の詳細な説明】
【０００１】
【発明の属する技術分野】
本発明は、調湿対象物を調湿する調湿装置に関し、調湿対象物は主としてシート状物質（一例としてビニールシート）を含んだものである。
【０００２】
【従来の技術】
従来の調湿装置について図５を参照して説明する。
【０００３】
容器１２の底部には、撹拌羽根１３が回転方向１４に回転するように設置されている。容器１２の上部の一方側に水添加ユニット１５が設置され、また、容器１２の上部の他方側に調湿対象物の供給口１６が設けられ、更に、容器１２の側部の下方に調湿対象物の回収口１７が設けられている。
【０００４】
この調湿装置においては、調湿対象物を容器１２内に供給口１６から供給方向１８に供給し、水添加ユニット１５から水を容器１２内に添加し、撹拌羽根１４を回転させる。すると、調湿対象物は、調湿されて回収口１７から回収方向１９に排出される。
【０００５】
【発明が解決しようとする課題】
前記従来の調湿装置は、調湿対象物にシート状物質が含まれていると、調湿効率が著しく低下するという欠点を有する。
【０００６】
具体的に説明すると、シート状物質が撹拌羽根１４に絡まったり、容器１２の回収口１７がシート状物質で覆われたりして、調湿対象物が容器１２内に残留してしまい、その結果、調湿装置の処理能力が低下する。特に、調湿対象物を大量にかつ連続的に調湿する場合、調湿対象物の容器１２内への供給工程、調湿工程及び回収工程という一連の工程を効率的に制御する必要がある。しかしながら、シート状物質による調湿装置の処理能力の低下の原因は、前記各工程で生じる可能性がある。特に、調湿対象物が、廃棄物のようにシート状物質等の多種多様な形態の物質である場合、調湿対象物全体の調湿効率を向上することは、著しく困難である。更に、リサイクルや廃棄物処理における前工程として、調湿処理が必須である場合、適切なリサイクルや処理を実現することができない。
【０００７】
このように、従来の調湿装置では、シート状物質を含んだ調湿対象物を調湿することは、困難であるため、上述した煩雑な条件下でも対応可能な調湿装置の開発が切望されている。
【０００８】
そこで、本発明は、前記従来の調湿装置の欠点を改良し、調湿対象物がシート状物質等を含んでいても、調湿対象物を高い効率で調湿することができる調湿装置を提供しようとするものである。
【０００９】
【課題を解決するための手段】
本発明は、前記課題を解決するため、次の手段を採用する。
【００１０】
１．調湿対象物に調湿媒体を添加して前記調湿対象物を調湿する添加ユニットを有する調湿装置において、中空の回転ドラムを傾斜するように設置し、前記回転ドラムの長さ方向の中心よりも下側の一部にサイズ分級部を設け、前記回転ドラムの内周面に前記調湿対象物を撹拌する複数の撹拌板を設け、前記調湿対象物は前記回転ドラムの上側の開口部から供給されて、所定のサイズ以下のものは前記サイズ分級部から排出され、所定のサイズよりも大きいものは前記回転ドラムの下側の開口部から排出される調湿装置。
【００１１】
２．前記サイズ分級部は、前記回転ドラムの円周部に３６０度にわたって設けられている前記１記載の調湿装置。
【００１２】
３．前記回転ドラムは、その外周面を支持する複数組の一対のローラによって回転される前記１記載の調湿装置。
【００１３】
４．前記回転ドラムは、その中心を貫通する１本の回転軸に固定された複数本のスポークに固定された前記１記載の調湿装置。
【００１４】
５．前記サイズ分級部は、網目から構成される前記１又は２記載の調湿装置。
【００１５】
６．前記サイズ分級部は、前記回転ドラムの円周部に設けられた複数の穴から構成される前記１又は２記載の調湿装置。
【００１６】
７．前記添加ユニットは、溶液を霧状にする前記１記載の調湿装置。
【００１７】
８．前記添加ユニットは、溶液を蒸気にする前記１記載の調湿装置。
【００１８】
９．前記添加ユニットは、前記回転ドラムの内側に設置されている前記１，７又は８記載の調湿装置。
【００１９】
１０．前記調湿媒体は、水である前記１記載の調湿装置。
【００２０】
１１．前記調湿媒体は、電解質の水溶液である前記１記載の調湿装置。
【００２１】
１２．前記調湿媒体は、有機溶媒である前記１記載の調湿装置。
【００２２】
１３．前記１乃至１２のいずれかに記載の調湿装置を用い、前記調湿対象物を処理する調湿方法であって、前記回転ドラムの下側の開口部から排出された前記調湿対象物を破砕し、再度前記調湿装置により処理する調湿方法。
【００２４】
【発明の実施の形態】
本発明の２つの実施の形態例の調湿装置について図１〜図４を参照して説明する。
【００２５】
まず、本発明の第１実施の形態例について図１と図２を参照して説明する。図１は正面図、図２は図１のＡ方向から見た要部の側面図である。
【００２６】
この調湿装置においては、中空の回転ドラム１が、その外周面を２対のロータ３ａ，３ｂによって支持されている。回転ドラム１は、調湿対象物を供給される側の開口部が他方の開口部に対して高く位置するように、傾斜して設置されている。また、２対のロータ３ａ，３ｂをモータ（図示せず）によって、回転方向８ａに回転させると、回転ドラム１は回転方向８ｂに回転する。回転ドラム１は、その長さ方向の中心近傍から低位置側（残渣の移動方向７の側）寄りにサイズ分級部２を有する。サイズ分級部２は、回転ドラム１の円周部に３６０度にわたって設けられた多数の丸形穴によって構成される。回転ドラム１における調湿対象物を供給される側の開口部近傍には、水添加ユニット４が設置されている。また、回転ドラム１の内周面には、多数の撹拌板９がランダムに固定されている。
【００２７】
各部材部位の数値の一例として、回転ドラム１の半径を５００ｍｍ、長さを１５００ｍｍにし、調湿対象物の供給側の開口部を、他方の開口部に対して５度傾斜させ、各撹拌板９の高さを１００ｍｍ、厚さを５ｍｍ、長さを４００ｍｍに設定する。また、サイズ分級部２については、回転ドラム１の長さ方向の中心近傍から残渣の移動方向７の側に幅４００ｍｍで、回転ドラム１の円周部に３６０度にわたって半径３０ｍｍの多数の穴を設ける。更に、各ロータ３ａ，３ｂの半径を１５０ｍｍ、幅を５０ｍｍとし、回転ドラム１の回転数が３０ｒｐｍとなるように各ロータ３ａ，３ｂの回転数を設定する。加えて、回転ドラム１における調湿対象物の供給側の開口部の上方に、霧状の水を添加する水添加ユニット４を設置する。
【００２８】
前記調湿装置において、各ロータ３ａ，３ｂが回転方向８ａに回転することによって、回転ドラム１は回転方向８ｂに回転する。水添加ユニット４から霧状の水を添加しながら、シート状物質を含有する調湿対象物を調湿対象物の供給方向５から回転ドラム１の開口部に供給する。すると、調湿対象物は、添加された水（溶液）を吸収しつつ、回転ドラム１の内周面に対して螺旋状に移動する。このとき調湿対象物の移動は、各撹拌板９によって効率的に行われる。調湿された所定のサイズ以下の調湿対象物即ち調湿処理物は、サイズ分級部２によって選別され、調湿処理物の移動方向６に移動し、回収される。一方、以後の工程に悪影響を及ぼす所定のサイズよりも大きい調湿対象物即ち残渣は、残渣の移動方向７に移動し、回転ドラム１の下側の開口部から回収される。残渣は、例えば破砕工程を経て、再度この調湿装置に供給されれば、調湿処理物となり、サイズ分級部２によって選別され、調湿処理物の移動方向６に移動し、回収される。
【００２９】
このように、調湿対象物は、回転ドラム１内を螺旋状に移動しつつ調湿される。調湿された所定のサイズ以下の調湿対象物即ち調湿処理物は、サイズ分級部２によって選別され、連続的に排出される。また、所定のサイズよりも大きい調湿対象物即ち残渣も、連続的に排出される。したがって、本実施の形態例では、従来の調湿装置のように、調湿対象物が容器内に残留するという欠点が生じない。
【００３０】
次に、本発明の第２実施の形態例について図３と図４を参照して説明する。図３は正面図、図４は図３のＡ方向から見た要部の側面図である。
【００３１】
第１実施の形態例においては、回転ドラム１は、その外周面を２対のロータ３ａ，３ｂによって支持されているのに対して、第２実施の形態例において、回転ドラム１は、その両開口部近傍の内周面を１本の回転軸１０に固定された４本のスポーク１１に固定されることによって支持されている。両実施の形態例の構造は、回転ドラム１の支持構造の点で相違し、その他の点では基本的に同様である。ただし、本実施の形態例では、残渣の排出が各スポーク１１によって妨害されないように、回転ドラム１の排出側の開口部から若干上方の円周部に数個の排出穴を設ける。残渣の一部は、各排出穴から下方に落下して排出される。
【００３２】
各部材部位の数値の一例として、回転ドラム１の半径を６００ｍｍ、長さを２０００ｍｍにし、調湿対象物の供給側の開口部を、他方の開口部に対して７度傾斜させ、各撹拌板９の高さを８０ｍｍ、厚さを３ｍｍ、長さを３００ｍｍに設定する。また、サイズ分級部２については、回転ドラム１の長さ方向の中心近傍から残渣の移動方向７の側に幅３００ｍｍで、回転ドラム１の円周部に３６０度にわたって半径３０ｍｍの多数の穴を設ける。更に、回転軸１０の半径を７５ｍｍ、各スポーク１１の太さを５０ｍｍ、スポーク１１の本数を１６本、回転ドラム１の回転数を１５ｒｐｍに設定する。加えて、回転ドラム１における調湿対象物の供給側の開口部の上方に、水滴を添加する水添加ユニット４を設置する。
【００３３】
前記調湿装置において、回転軸１０が回転方向８ｃに回転することによって、回転ドラム１は同方向に回転する。水添加ユニット４から水滴を添加しながら、シート状物質を含有する調湿対象物を調湿対象物の供給方向５から回転ドラム１の開口部に供給する。すると、調湿対象物は、添加された水（溶液）を吸収しつつ、回転ドラム１の内周面に対して螺旋状に移動する。このとき、調湿対象物の移動は、各撹拌板９によって効率的に行われる。調湿された所定のサイズ以下の調湿対象物即ち調湿処理物は、サイズ分級部２によって選別され、調湿処理物の移動方向６に移動し、回収される。一方、以後の工程に悪影響を及ぼす所定のサイズよりも大きい調湿対象物即ち残渣は、残渣の移動方向７に移動し、回転ドラム１の下側の開口部から回収される。残渣は、例えば破砕工程を経て、再度この調湿装置に供給されれば、調湿処理物となり、サイズ分級部２によって選別され、調湿処理物の移動方向６に移動し、回収される。
【００３４】
このように、調湿対象物は、回転ドラム１内を螺旋状に移動しつつ調湿される。調湿された所定のサイズ以下の調湿対象物即ち調湿処理物は、サイズ分級部２によって選別され、連続的に排出される。また、所定のサイズよりも大きい調湿対象物即ち残渣も、連続的に排出される。したがって、本実施の形態例では、従来の調湿装置のように、調湿対象物が容器内に残留するという欠点が生じない。
【００３５】
第１及び第２各実施の形態例における回転ドラム１の各部材部位等の数値としては、半径２００〜１０００ｍｍ、長さ５００〜３０００ｍｍ、傾斜角３〜４５度、回転数を５〜３００ｒｐｍの各範囲から選定することが好ましい。また、サイズ分級部２の位置は、回転ドラム１の長さ方向の中心近傍から残渣の移動方向７寄りにあることが好ましく、サイズ分級部２の構成としては、回転ドラム１の円周部に丸形の穴又は網目等を施したものを採用することができる。サイズ分級部２の幅としては、１００〜１２００ｍｍ、丸形の穴又は網目等のサイズとしては、半径１０〜３００ｍｍの各範囲から選定することが好ましい。
【００３６】
水添加ユニット４の設置箇所は、第１及び第２各実施の形態例では調湿対象物の供給側の開口部近傍であるが、回転ドラム１の内側に設置することも可能である。更に、水添加ユニット４を回転ドラム１における残渣の排出側の開口部近傍に設置することも可能である。特に第２実施の形態例の場合、回転軸１０の内部に水添加ユニット４を設置すると、効果的である。更に、水添加ユニット４を複数設置して調湿効率を向上させることも可能である。水添加ユニット４の方法としては、霧状の水を噴霧する方法、水滴を添加する方法又は水蒸気を吹きかける方法等を挙げることができるが、調湿対象物の調湿効率を配慮して適切な方法を選択する。
【００３７】
また、調湿媒体として電解質の水溶液又は有機溶媒等を採用することができる。
【００３８】
各撹拌板９は、調湿対象物、調湿処理物及び残渣の移動を補助する目的で設けられているので、形状、サイズ、個数及び設置箇所等については、調湿対象物の種類に応じて設計する。
【００３９】
【発明の効果】
以上の説明から明らかなように、本発明によれば、シート状物質を含む調湿対象物は、回転ドラム内を螺旋状に移動しつつ調湿され、所定のサイズ以下のもののみがサイズ分級部から連続的に排出回収されると共に、所定のサイズよりも大きいもの（残渣）も連続的に回転ドラムから排出される。したがって、本発明には、従来の調湿装置のように容器内に調湿対象物が残留するという欠点が生じない。この結果、本発明は、シート状物質を含む調湿対象物、特に廃棄物のように多種多様な形状の物質が混在した調湿対象物を効率的に調湿することができる。よって、本発明は、適正なリサイクルや廃棄物処理への適用が有効となるため、産業上有益である。
【図面の簡単な説明】
【図１】本発明の第１実施の形態例の調湿装置の正面図である。
【図２】図１におけるＡ方向から見た要部の側面図である。
【図３】本発明の第２実施の形態例の調湿装置の正面図である。
【図４】図３におけるＡ方向から見た要部の側面図である。
【図５】従来の調湿装置の正面側から見た断面図である。
【符号の説明】
１    回転ドラム
２    サイズ分級部
３ａ，３ｂ    ロータ
４    水添加ユニット
５    調湿対象物の供給方向
６    調湿処理物の移動方向
７    残渣の移動方向
８ａ，８ｂ，８ｃ    回転方向
９    撹拌板
１０    回転軸
１１    スポーク
【図１】
0003685241.tif 000002
【図２】
0003685241.tif 000003
【図３】
0003685241.tif 000004
【図４】
0003685241.tif 000005
【図５】
0003685241.tif 000006